(57)【特許請求の範囲】
【請求項１】
植栽基盤材を収納する植栽基盤材収納部（４）が設けられたパネル本体（１）と、該パネル本体（１）の少なくとも水平方向への移動を規制するように該パネル本体（１）を支持する支持用治具（２）とを備え、前記支持用治具（２）は、屋上面に固定できるように構成され、且つ前記パネル本体（１）に筒状部（８）が形成されているとともに、該筒状部（８）に挿入可能な挿入部が前記支持用治具（２）に形成され、該筒状部（８）に挿入部を挿入することで前記パネル本体（１）の少なくとも水平方向への移動が規制される係合状態とされ、前記筒状部（８）が挿入部から脱抜されることで前記係合が外れた解除状態とされるように構成され、前記筒状部（８）の内径よりも大きな外径を有し且つ前記挿入部に対して固定させることができる蓋状治具（３）がさらに具備され、該蓋状治具（３）を挿入部に対して固定させることで、前記筒状部（８）が挿入部から脱抜されるのが阻止され、前記蓋状治具（３）の挿入部に対する固定状態を解除することで、前記筒状部（８）の挿入部からの脱抜阻止状態が解除されうるように構成されていることを特徴とする屋上緑化用パネル。
【発明の詳細な説明】
【技術分野】
【０００１】
本発明は、屋上部分に設置することで、その屋上部分の緑化を行う屋上緑化用パネルに関する。
【背景技術】
【０００２】
近年、都市緑化等の要請が高まり、それに応じて建築物の屋上に植生パネル等を設置して緑化を行う技術が開発され、普及しつつある。このような屋上緑化は、建築物の屋上で植物を栽培し、植物の蒸散作用により屋上部における熱の放出を緩和することで、いわゆるヒートアイランド現象を抑制するものであり、また建築物の屋上で植物の栽培が行なわれることで、大気汚染等に対する環境改善を図ることも意図するものである。そして、このような屋上緑化の技術として、従来では、たとえば下記特許文献１のような特許出願がなされている。
【０００３】
この特許文献１に記載された緑化パネルは、当該特許文献１の請求項４にも記載されているように、「箱状の枠体の底部と一体に複数の支持用の凸部を設け、上記凸部の間に形成された凹部の底部に充填された砂等の下地にスナゴケを活着させた」ものである。
【０００４】
そして、このような緑化パネルは、当該特許文献１の段落［００１０］や段落［００２６］にも記載されているように、建物屋上の面積に応じた必要な枚数を縦横に接着して敷き並べるものである。
【０００５】
しかしながら、このような接着によってパネルの底部が屋上面に固定されていると、屋上部のコンクリート面からパネルを取り外すことができず、また取り外せたとしても、パネルの底部を接着テープ等の接着力に抗して取り外さなければならないので、その作業が煩雑となる。
【０００６】
このように、緑化パネルを屋上面に接着して設置するのは、単に緑化パネルを屋上面に載置するのみでは、風等によって緑化パネルが不用意に移動するおそれがあるためであり、そのような風等による不用意な移動が阻止できればよいので、強固な接着力で接着することは必ずしも必要とされないが、接着面から容易に剥離できる、いわゆる剥離自在な接着剤では、上記のような不用意な移動を阻止できないおそれがあり、従ってある程度の接着力は必要とされるので、いずれにしても接着力に抗してパネルを屋上面から脱離させる作業は煩雑となる。
【０００７】
このため、たとえば建築物の屋上部において修繕工事や防水工事の改修等を行う場合において、緑化パネルを一時的に撤去し、或いは再設置することができず、また一時的な撤去や再設置ができたとしても、上記のように接着剤等の接着力に抗してパネルを取り外さなければならないので、一時的な撤去や再設置の作業が煩雑となっていた。
【０００８】
また、緑化パネルに植栽されている植物種を代える場合においても、パネルを屋上面から離脱させることができず、また離脱させたとしても、上記のように離脱の作業が煩雑になることは、植物種を代える作業を行う観点からも不都合となる。
【０００９】
この点、上記特許文献１の緑化パネルでは、植物種がスナゴケに限定されているので、もともと植物種を変更することは想定していないものであり、そのためにパネルを屋上面から離脱させることも想定されていなかったものと思われる。
【００１０】
しかし、建築物の施主の要望によって植物種の変更の必要が生じる場合があり、また、植物種が限られることは、緑化が本来目的とすべき植物の多様性を実現する観点からは望ましくないので、本来、この種の緑化用パネルには、植物種の変更を容易に行えるような構成とすることが望まれる。
【先行技術文献】
【特許文献】
【００１１】
【特許文献１】特開２０１１−４３０４０号公報
【発明の概要】
【発明が解決しようとする課題】
【００１２】
本発明は、このような問題点を解決するためになされたもので、屋上面への設置、及びその屋上面からの離脱を容易に行うことができ、建築物の屋上部において修繕工事や防水工事の改修等を行う場合や、植栽されている植物種を代える場合に緑化パネルを一時的に撤去し、或いは再設置する作業を容易に行うことができる屋上緑化用パネルを提供することを課題とするものである。
【課題を解決するための手段】
【００１３】
本発明者等は、このような課題を解決すべく鋭意研究した結果、パネルの設置や離脱のための作業を極力容易にする観点から、植栽基盤材を収納するパネルのいわゆる本体部分は、接着による屋上面への固定作業を不要とする一方で、固定のための部材を、上記パネルの本体部分とは別に設けることに着目して本発明を完成するに至った。
【００１４】
すなわち、本発明は、植栽基盤材を収納する植栽基盤材収納部が設けられたパネル本体と、該パネル本体の少なくとも水平方向への移動を規制するように該パネル本体を支持する支持用治具とを備え、前記支持用治具は、屋上面に固定できるように構成され、且つ前記パネル本体と支持用治具とは、相互に係合して前記パネル本体の少なくとも水平方向への移動が規制される係合状態と、該係合が外れた解除状態とをとりうるように構成されていることを特徴とする屋上緑化用パネルを提供するものである。
【００１５】
かかる構成からなる屋上緑化用パネルを屋上面に設置する場合には、パネル本体を、屋上面に接着せずに載置するとともに、支持用治具を屋上面に固定する。このとき、パネル本体と支持用治具とが、相互に係合してパネル本体の少なくとも水平方向への移動が規制される係合状態と、該係合が外れた解除状態とをとりうるように、支持用治具でパネル本体を支持する。
【００１６】
この場合において、パネル本体は屋上面に固定されているわけではなく、単に屋上面に載置されているだけであるが、屋上面に固定されている支持用治具に、該パネル本体の少なくとも水平方向への移動が規制されるように係合されているので、そのような係合状態によって、屋上面に載置されているだけであっても、風等によってパネル本体が不用意に移動するようなこともない。このようにして、屋上緑化用パネルの全体が屋上面に設置されることになる。
【００１７】
一方、屋上面から屋上緑化用パネルを離脱させる場合には、支持用治具とパネル本体との相互間の係合状態を解除させる。この場合において、支持用治具は屋上面に固定されていて、そのままでは屋上面から離脱させることができないが、パネル本体は固定されずに屋上面に載置されているだけであり、且つ支持用治具とパネル本体との相互間の係合状態が解除されているので、パネル本体を屋上面から離脱させることが可能となる。
【００１８】
このように、本発明においては、屋上面に固定するための支持用治具を、植栽基盤材収納部を有するパネル本体とは別に設けたので、植栽基盤材収納部を有するパネル本体は、屋上面に固定せず単に載置するだけであっても、支持用治具を屋上面に固定し、パネル本体の少なくとも水平方向への移動が規制されるように支持用治具とパネル本体との相互間が係合状態とされることで、パネル本体が屋上面から不用意に離脱しないように該パネル本体を屋上面に設置することができ、またパネル本体と支持用治具との上記係合状態は解除することができるので、そのような係合が解除された状態で、パネル本体はそのまま屋上面から離脱させることができ、パネル本体の屋上面への設置及び屋上面からの離脱のための作業を容易に行うことができる。
【００１９】
また、本発明においては、パネル本体に筒状部が形成され、該筒状部に挿入可能な挿入部が支持用治具に形成されてなり、該筒状部に挿入部を挿入することで、パネル本体の少なくとも水平方向への移動が規制される係合状態とされ、筒状部を挿入部から脱抜することで、係合が外れた解除状態とされるように構成されている。
【００２０】
かかる構成とされているために、筒状部に挿入部が包囲されるようにしてパネル本体と支持用治具との相互間が係合状態とされるので、パネル本体と支持用治具との相互間の係合が確実になされることとなる。
【００２１】
さらに、本発明においては、前記筒状部の内径よりも大きな外径を有し且つ前記挿入部に対して固定させることができる蓋状治具がさらに具備され、該蓋状治具を挿入部に対して固定させることで、前記筒状部が挿入部から脱抜されるのが阻止され、前記蓋状治具の挿入部に対する固定状態を解除することで、前記筒状部の挿入部からの脱抜阻止状態が解除されうるように構成されている。
【００２２】
かかる構成とされているために、蓋状治具を挿入部に対して固定させた状態で、筒状部を挿入部から脱抜させようとしても、筒状部の内径よりも大きな外径を有する蓋状治具が存在することによって、筒状部が挿入部から脱抜するのが好適に阻止されることとなる。一方、蓋状治具の挿入部に対する固定状態を解除すれば、蓋状治具を挿入部から取り外すことで、筒状部を挿入部から脱抜させることができ、パネル本体を屋上面から離脱させることができる。
【発明の効果】
【００２３】
本発明においては、上述のように、緑化用パネルの屋上面への設置、及び屋上面からの離脱を容易に行うことができるので、建築物の屋上部において修繕工事や防水工事の改修等を行う場合においても、緑化パネルを一時的に撤去し、或いは再設置する作業を容易に行うことができる。
【００２４】
また緑化パネルに植栽されている植物種を代える場合にも、パネルの屋上面への設置及び屋上面からの離脱が容易であることによって、植物種を代える作業を容易に行うことができる。
【図面の簡単な説明】
【００２５】
【図１】一実施形態の屋上緑化用パネルの概略平面図。
【図２】Ａ方向矢視側面図。
【図３】Ｂ方向矢視側面図。
【図４】図１のＣ−Ｃ線端面図。
【図５】図１のＤ−Ｄ線端面図。
【図６】図１のＥ−Ｅ線端面図。
【図７】図１のＦ−Ｆ線端面図。
【図８】支持用治具の概略側面図。
【図９】支持用治具の概略平面図。
【図１０】蓋状治具の概略平面図。
【図１１】蓋状治具の概略断面図。
【図１２】パネル本体の筒状部に支持用治具を挿入した状態の端面図。
【図１３】支持用治具に蓋状治具を係止させるとともに、蓋状治具をパネル本体の筒状部に嵌合させた状態の断面図。
【図１４】蓋状治具を支持用治具及びパネル本体の筒状部から取り外した状態の断面図。
【図１５】筒状部を支持用治具から抜き取ってパネル本体を屋上面から取り外した状態を示す概略断面図。
【発明を実施するための形態】
【００２６】
以下、本発明の実施形態について説明する。本発明の屋上緑化用パネルは、上述のように、植栽基盤材を収納する植栽基盤材収納部が設けられたパネル本体と、該パネル本体の少なくとも水平方向への移動を規制するように該パネル本体を支持する支持用治具とを備え、前記支持用治具は、屋上面に固定できるように構成され、且つ前記パネル本体と支持用治具とは、相互に係合してパネル本体の少なくとも水平方向への移動が規制される係合状態と、該係合が外れた解除状態とをとりうるように構成されているものである。
【００２７】
パネル本体は、たとえば平面略正方形状の浅い箱状に形成することができる。パネル本体の材質も特に限定されるものではなく、たとえば合成樹脂で構成することができ、合成樹脂以外に金属等で構成することもできる。パネル本体には、上記のように植栽基盤材収納部が設けられている。植栽基盤材としては、たとえば土壌を用いることができ、土壌としては、天然土壌、人口土壌のいずれも用いることができる。パネル本体には、凹状部分及び凸状部分を形成することができ、その凹状部分を植栽基盤材収納部とすることができる。凸状部分は、作業者が歩行して植栽作業を行う部分として形成されることになる。
【００２８】
支持用治具は、上記のように、パネル本体の少なくとも水平方向への移動を規制するように、該パネル本体を支持するためのものである。この支持用治具は、屋上面に固定できるように構成されている。固定のための手段として、たとえば支持用治具を屋上面に接着する手段が例示され、その接着の手段として、たとえば両面で接着することのできる両面接着テープを支持用治具の底面部に貼着し、或いは接着剤を支持用治具の底面部に塗着させることで、そのような両面接着テープ又は接着剤を介して支持用治具を屋上面に接着させることが例示される。
【００２９】
またパネル本体と支持用治具とは、上述のように相互に係合してパネル本体の少なくとも水平方向への移動が規制される係合状態と、該係合が外れた解除状態とをとりうるように構成されている。ここで、「パネル本体と支持用治具とを相互に係合する」とは、パネル本体の少なくとも水平方向への移動が規制されるように、パネル本体と支持用治具とが係わり合っている状態を広く含むことを意味し、たとえばパネル本体と支持用治具とのいずれか一方に筒状部が形成され、他方に該筒状部に挿入可能な挿入部が形成されてなり、該筒状部に挿入部を挿入して係合状態とするような場合が含まれる。この場合、筒状部又は挿入部のいずれか一方を他方から脱抜することで、前記係合が外れた解除状態となる。
【００３０】
上記のような筒状部は、たとえばパネル本体側に形成することができる。筒状部がパネル本体側に形成される場合には、挿入部が支持用治具に形成されることになるが、その場合には、支持用治具のほぼ全体が筒状部に挿入されるように構成することができる。すなわち、この場合には、支持用治具の一部に挿入部が形成されているのではなく、支持用治具のほぼ全体が挿入部として形成されるのである。
【００３１】
このような筒状部は、上下方向に延びる筒状に形成され、上下に開口部を有するものであることが望ましい。筒状部が上下方向に延びる筒状に形成されているときは、筒状部に上記支持用治具（挿入部）を挿入するだけで、パネル本体の水平方向への移動が規制されることになる。また筒状部が上下に開口部を有する場合には、先にパネル本体を屋上面に載置し、その後に、支持用治具を前記筒状部に挿入して、支持用治具とパネル本体との相互間を係合状態とすることができるので、そのように相互に係合状態とする作業を容易に行うことができる。筒状部は、たとえば円筒状に形成することができる。また、筒状部は、周面の全周が連続しているような場合の他、周面の一部が切り欠かれているような形状のものであってもよい。
【００３２】
上記のような筒状部は、パネル本体の中央に形成されることが望ましい。支持用治具が筒状部に挿入されたときに、パネル本体の水平方向への移動を規制する上で、最もバランスが保たれた状態となるからである。このようにパネル本体の中央に筒状部が形成される場合、上記植栽基盤材収納部、及び凸状部分以外の部分に、筒状部を形成することができる。
【００３３】
支持用治具は、たとえば容器状に形成することができる。容器状に形成された支持用治具には、支持用治具の屋上面からの離脱を可能ならしめる離脱剤を収容することができる。この離脱剤としては、たとえば上記のような接着剤を溶解させてその接着力を弱める溶剤のようなものを用いることができる。
【００３４】
また、上記のような容器状に形成された支持用治具の底面部に、排出用孔を穿設することができる。このような排出用孔を支持用治具の底面部に穿設することで、上記溶剤のような離脱剤を容器状の支持用治具に収容したときに、離脱剤を支持用治具の排出用孔から排出し、支持用治具の底面部を屋上面に接着させている接着剤に浸透させることができ、それによって、支持用治具を屋上面から離脱させることができる。
【００３５】
支持用治具は、たとえば合成樹脂で構成することができ、また金属等で構成することもできる。
【００３６】
本発明の屋上緑化用パネルには、上記パネル本体及び支持用治具の他に、蓋状治具を具備させることができる。上記のように、パネル本体に筒状部を形成するとともに支持用治具に挿入部を形成する場合には、蓋状治具は、筒状部の内径よりも大きな外径を有し且つ挿入部に対して固定させることができるように構成される。蓋状治具を挿入部に対して固定させることで、前記筒状部が挿入部から脱抜されるのが阻止され、蓋状治具の挿入部に対する固定状態を解除することで、前記筒状部の挿入部からの脱抜阻止状態が解除される。蓋状治具は、たとえば合成樹脂で構成することができ、また金属等で構成することもできる。
【００３７】
以下、本発明のより具体的な実施形態について、図面に従って説明する。本実施形態の屋上緑化用パネルは、パネル本体１と、支持用治具２と、蓋状治具３とで構成されている。
【００３８】
パネル本体１は、図１に示すように全体が平面正方形状に形成され、且つ全体が合成樹脂で構成されている。このパネル本体１は、土壌等の植栽基盤材を収納する植栽基盤材収納部４と、該植栽基盤材収納部４に収納される植栽基盤材を所定の厚みにするために前記植栽基盤材収納部４を所定の深さに形成すべく底プレート部６から上向きに突出して形成された突出部５とを具備して構成されている。この突出部５は、植栽等の作業時に作業者の足場とすることができるものである。
【００３９】
図１乃至図７に示すように、パネル本体１の周囲には、側壁７が形成されている。前記突出部５は、パネル本体１の４辺に沿って複数個所に形成されている。そして、これらの突出部５は、いずれも側壁７に隣接するように配置されている。
【００４０】
パネル本体１の中央には、支持用治具２を挿入するための筒状部８が形成されている。この筒状部８は、上部及び下部にそれぞれ開口部９、１０を有するような略円筒状に形成されている。
【００４１】
またパネル本体１には、前記筒状部８を中心としてコーナー部に向かって対角線の方向となる４箇所の位置に、リブ１１が形成されている。このリブ１１は、筒状部８を四方から支持するものであり、図１に示すように、平面略Ｙ字状に形成されている。さらに、パネル本体１の側壁７の４角コーナー部近辺には、図２及び図３に示すように、排水孔１２が形成されている。この排水孔１２は、同図のように、複数のスリットからなるものである。
【００４２】
さらに、側壁７の上端にはフランジ１６が外向きに突設されている。このフランジ１６の複数個所には、切欠き１５が形成されている。この切欠き１５は、植栽された植物に灌水するための灌水パイプ等を係入して保持するためのものである。
【００４３】
支持用治具２は、図８及び図９に示すように、略有底円筒の容器状に形成されたものである。該支持用治具２の底面部１９には、離脱剤を排出するための複数の略円形状の排出用孔２０が穿設されており、この排出用孔２０とは別に、前記支持用治具２の側面部１７から底面部１９にかけて、複数のスリットからなる排出用孔１８が穿設されている。また、支持用治具２の上端部の４箇所には後述する蓋状治具３に係合可能な係合片２１が形成されている。この係合片２１の一端２１ａ側にはストッパー２２が形成され、前記係合片２１のほぼ中央から他端２１ｂ側に向かってテーパ状となるテーパ面２３が、該係合片２１の下面側に形成されている。さらに支持用治具２の底面部１９には、中央に穿設された排出用孔２０の位置から周辺部に放射状となるような位置に、リブ１３が配設されている。支持用治具２は、全体が可撓性の合成樹脂で構成されている。
【００４４】
蓋状治具３は、図１０及び図１１に示すように、平面円形の蓋状のものであり、該蓋状治具３の上面には複数の水抜き孔２４が穿設されている。蓋状治具３の外周壁部２６は、パネル本体１の筒状部８の上部に外嵌合可能であり、該蓋状治具３の外周壁部２６の内側には、前記支持用治具２の係合片２１と係合可能な断面略Ｌ字状の係合片２５が形成されている。この係合片２５は、図示しないが、蓋状治具３の全周ではなく複数箇所（たとえば支持用治具２の係合片２１の数に合わせて４箇所）に部分的に形成されている。
【００４５】
蓋状治具３は、上述のように、パネル本体１の筒状部８の内径よりも大きな外径を有し、且つ挿入部（支持用治具２）に対して固定させることができるように構成されている。上記のように蓋状治具３の外周壁部２６が、パネル本体１の筒状部８の上部に外嵌合可能であることは、「蓋状治具３が、パネル本体１の筒状部８の内径よりも大きな外径を有する」ことの一態様である。また、上記のように蓋状治具３の係合片２５と支持用治具２の係合片２１とを係合させることは、「蓋状治具を挿入部に対して固定させる」ことの一態様である。
そして、蓋状治具３の外周壁部２６をパネル本体１の筒状部８に外嵌合して回転することで、当初はテーパ面２３が形成された支持用治具２の係合片２１の他端２１ｂ側が蓋状治具３の係合片２５と係合し、徐々に蓋状治具３を回転して締め付けることで、両係合片２１、２５の相互の係合力が強まり、最終的には、支持用治具２の係合片２１のストッパー２２に蓋状治具３の係合片２５の内向突片２５ａが係止されて、蓋状治具３の回転が禁止され、蓋状治具３を反対方向に回転させることで、支持用治具２の係合片２１と蓋状治具３の係合片２５との係合状態が解除されるように構成されている。さらに、蓋状治具３の下面側には突出部２７が形成されている。
【００４６】
次に、上記のような構成からなる屋上緑化用パネルを使用する場合について説明する。
【００４７】
先ず、パネル本体１を屋上面に載置して複数のパネル本体１を屋上面に敷き並べる。次に、図１２に示すように、支持用治具２の底面部１９の裏面側に、両面で接着可能な接着テープ２８を貼着してパネル本体１の筒状部８に挿入し、該接着テープ２８を介して支持用治具２を屋上面２９に貼着する。これによって、支持用治具２は屋上面２９に固定されることとなる。
【００４８】
次に、図１３に示すように、蓋状治具３をパネル本体１の筒状部８の上部に外嵌する。このとき、蓋状治具３の外周壁部２６の内面側は、同図に示すように筒状部８の上端部８ａに当接することとなる。また、同図のように蓋状治具３の突出部２７が支持用治具２の側面部１７の内周面に当接する。このように蓋状治具３が筒状部８の上部に外嵌された状態で、蓋状治具３を回転する。このとき、テーパ面２３が形成された支持用治具２の係合片２１の他端２１ｂ側が蓋状治具３の係合片２５と係合し、徐々に蓋状治具３を回転して締め付けることで、両係合片２１、２５の相互の係合力が強まり、支持用治具２の係合片２１のストッパー２２に蓋状治具３の係合片２５の内向突片２５ａが係止されたとき、蓋状治具３の回転が禁止され、蓋状治具３によって支持用治具２とパネル本体１の筒状部８との相互間が固定されることとなる。
【００４９】
この場合において、支持用治具２の係合片２１が蓋状治具３の係合片２５と係合し、さらに蓋状治具３の外周壁部２６の内面側が筒状部８の上端部８ａに当接しているので、筒状部８が支持用治具２から脱抜されるのが防止されることとなり、しかも、支持用治具２の係合片２１と蓋状治具３の係合片２５とは、該蓋状治具３の回転締め付け力によって相互に強固に係合された状態とされているので、結果として、筒状部８は、支持用治具２から脱抜されないように該支持用治具２に対して固定されたこととなる。これによって、パネル本体１は、屋上面から不用意な離脱するのが防止されることとなるのである。
【００５０】
また、蓋状治具３の係合片２５を、支持用治具２の係合片２１に係合させることで、筒状部８の上面の開口部９及び支持用治具２の上面の開口部が閉鎖されることとなり、植栽基盤材収納部４に収納された植栽基盤材で植栽されている植物が生育してその根が繁殖するときに、その根が容器状の支持用治具２内に侵入するのを防止することができ、その結果、支持用治具２の底面部１９の排出用孔２０から植物の根がパネル本体１の外部に排出されるのを防止することができる。
【００５１】
その後、土壌等の植栽基盤材を植栽基盤材収納部４に収納し、植物を植栽することで、屋上緑化の施工が完了する。
【００５２】
次に、植栽された植物種を代える場合、或いは屋上部において修繕工事や防水工事の改修等を行う場合において、緑化用パネルを屋上面２５から離脱させるときは、先ず植栽された植物及び植栽基盤材を上記植栽基盤材収納部４から取り除き、蓋状治具３を締め付け時とは逆方向に回転させることにより、蓋状治具３の係合片２５と支持用治具２の係合片２１との係合状態を解除し、図１４に示すように蓋状治具３を筒状部８及び支持用治具２から取り外す。
【００５３】
さらに、支持用治具２の底面部１９の裏面側に設けられた接着テープ２８の接着力を弱めるための離脱剤を、支持用治具２に収容する。この場合、支持用治具２の底面部１９には、複数の排出用孔２０が穿設されているので、収容された離脱剤は、その排出用孔２０から支持用治具２の底面部１９の裏面側に排出され、該裏面側に設けられた接着テープ２８の接着剤に浸透して該接着テープ２８が接着力を弱められることとなる。このように接着テープ２８の接着力が弱められることによって、支持用治具２を屋上面２９から離脱させることが可能となる。
【００５４】
以上のように、本実施形態では、パネル本体１の屋上面２９への設置、及び屋上面２９からの離脱のいずれもが可能となり、また、そのような取り付け及び取り外しの作業を、上記のような支持用治具２の筒状部８への挿入、及び支持用治具２の屋上面２９への接着、並びに蓋状治具３と支持用治具２との係合及び係合解除という簡単な操作で行うことができるので、建築物の屋上部において修繕工事や防水工事の改修等を行う場合において、緑化パネルを一時的に撤去し、或いは再設置する作業を容易に行うことができ、また植栽されている植物種を代える場合にも、その作業を容易に行うことができることとなる。
【００５５】
尚、上記実施形態では、パネル本体１を屋上面に固定した際に、支持用治具２から筒状部８が脱抜されるのを防止するために、パネル本体１の筒状部８に蓋状治具３を外嵌合し、その状態で蓋状治具３の係合片２５と支持用治具２の係合片２１とを係合させることで支持用治具２から筒状部８が脱抜されるのを防止する構成としたが、支持用治具２から筒状部８が脱抜されるのを防止するための構成は該実施形態に限定されるものではない。たとえば、蓋状治具３をパネル本体１の筒状部８或いは支持用治具２に螺合させ、蓋状治具３と支持用治具２とを相互に係合させることで、支持用治具２から筒状部８が脱抜されるのを防止する構成とすることも可能である。
【００５６】
また、上記実施形態においては、パネル本体１の筒状部８を、上下に開口部９、１０を有するような形状に形成したが、これに限らず、たとえば上面は閉塞されていて下面のみに開口部が形成されたようなものであってもよい．このような形状に形成された筒状部であっても、支持用治具２に嵌合させることができる。ただし、この場合には、先に支持用治具２を屋上面に固定した後に、該支持用治具２にパネル本体１の筒状部８が嵌合されることになる。
【００５８】
さらに、上記実施形態では、支持用治具２のほぼ全体が筒状部８に挿入されるように支持用治具２を形成したが、これに限らず、たとえば支持用治具２の一部に、上記筒状部８に挿入可能な挿入部を形成することも可能である。
【００６１】
さらに、上記実施形態では、支持用治具を屋上面に接着することによって支持用治具を屋上面に固定させたが、支持用治具を屋上面に固定させる手段はこれに限定されるものではなく、たとえばアンカーボルトによる固定手段を採用することも可能である。
【符号の説明】
【００６２】
１  パネル本体
２  支持用治具
３  蓋状治具
４  植栽基盤材収納部
８  筒状部
【図１】
0005512632.tif 000002
【図２】
0005512632.tif 000003
【図３】
0005512632.tif 000004
【図４】
0005512632.tif 000005
【図５】
0005512632.tif 000006
【図６】
0005512632.tif 000007
【図７】
0005512632.tif 000008
【図８】
0005512632.tif 000009
【図９】
0005512632.tif 000010
【図１０】
0005512632.tif 000011
【図１１】
0005512632.tif 000012
【図１２】
0005512632.tif 000013
【図１３】
0005512632.tif 000014
【図１４】
0005512632.tif 000015
【図１５】
0005512632.tif 000016